Podtech/llm-jp-corpus-v4-ja_patent huggingface dataset:
(57)【要約】【課題】  ゼリー剤の被検体への塗布と超音波プローブへの塗布と診断作業を交互に行うために、作業が煩わしいという問題があった。【解決手段】  超音波プローブ１が挿入される挿入孔２の両側部に設けられた容器３、４は超音波プローブ１側の側壁３ａ、４ａが低く、外壁３ｂ、４ｂが高く形成され、これらの容器３、４にそれぞれゼリー剤５が挿入され、又、このゼリー剤５と接触するようにローラ６、７が装着され、これらのローラ６、７の表面には、ゼリー剤５が浸透して、超音波プローブ１に塗布され易いように、ローラ６、７の表面にスポンジ材が装着されている。【選択図】図１
2007175081.tif 000002
【特許請求の範囲】
【請求項１】
被検体に接触させて超音波を送受信する超音波プローブと、該超音波プローブが挿入される挿入孔が形成され、該挿入孔の両側に前記超音波プローブ側の側壁が低く形成されたゼリー剤を入れる容器と、前記超音波プローブの先端近傍に一部が接触するように容器に装着され、該容器の底部に溜まっている前記ゼリー剤と接触するローラとからなり、前記超音波プローブを前記挿入孔で上下して、前記ローラを前記超音波プローブで接触回転することにより、前記ゼリー剤を前記容器と前記超音波プローブの間から前記超音波プローブの先端及び前記被検体に塗布することを特徴とする超音波プローブ装置。
【請求項２】
前記ローラの表面にスポンジを装着することを特徴とする請求項１記載の超音波プローブ装置。
【請求項３】
前記ローラの表面に不織布を装着することを特徴とする請求項１記載の超音波プローブ装置。
【請求項４】
前記ローラの表面に布材を装着することを特徴とする請求項１記載の超音波プローブ装置。
【請求項５】
前記ローラの表面にブラシ状の部材を装着することを特徴とする請求項１記載の超音波プローブ装置。
【発明の詳細な説明】
【技術分野】
【０００１】
本発明は、超音波プローブの先端と被検体に簡単にゼリー剤を塗布することができる超音波プローブ装置に関するものである。
【背景技術】
【０００２】
従来、超音波診断装置により被検体を診断する場合、超音波振動子を内蔵した超音波プローブを被検体に接触させ、超音波プローブで送受信した超音波により被検体を診断するが、超音波の伝達を良くするために、超音波プローブの接触部及び被検体にゼリー剤を塗布するようにしている。
【０００３】
しかしながら、従来のこのような超音波診断装置では、多数箇所の診断をする場合、ゼリー剤の被検体への塗布と超音波プローブへの塗布と診断作業を交互に行う必要があり、その手間のために、作業時間が長くなり、作業が煩わしいという問題があった。
【発明の開示】
【発明が解決しようとする課題】
【０００４】
解決しようとする問題点は、従来の超音波診断装置では、ゼリー剤の被検体への塗布と超音波プローブへの塗布と診断作業を交互に行うために、作業が煩わしいという問題があった。
【課題を解決するための手段】
【０００５】
本発明では、超音波プローブは被検体に接触させて超音波を送受信し、ゼリー剤を入れる容器は超音波プローブが挿入される挿入孔が形成され、挿入孔の両側に前記超音波プローブ側の側壁が低く形成され、超音波プローブの先端近傍に一部が接触するように容器に装着され、ローラは容器の底部に溜まっているゼリー剤と接触するように構成され、超音波プローブを挿入孔で上下して、ローラを超音波プローブで接触回転することにより、ゼリー剤を容器と超音波プローブの間から超音波プローブの先端及び被検体に塗布するものである。
【発明の効果】
【０００６】
本発明の超音波プローブ装置では、超音波プローブを上下することにより、超音波プローブの側部に形成された容器に装着されているローラが回転し、このローラに付着したゼリー剤が容器と超音波プローブの間に流入して、ゼリー剤が超音波プローブの先端及び被検体に取付部されるという利点がある。
【実施例】
【０００７】
図１は本発明の実施例の超音波プローブ装置の正面図、図２は図１の超音波プローブ装置の側面断面図で、超音波プローブ１が挿入される挿入孔２の両側部に設けられた容器３、４は超音波プローブ１側の側壁３ａ、４ａが低く、外壁３ｂ、４ｂが高く形成され、これらの容器３、４にそれぞれゼリー剤５が挿入され、又、このゼリー剤５と接触するようにローラ６、７が装着され、又、これらのローラ６、７はそれぞれ回転軸６ａ、７ａで回転するように構成され、さらに、これらのローラ６、７の表面には、ゼリー剤５が浸透して、超音波プローブ１に塗布され易いように、ローラ６、７の表面にスポンジ材が装着されている。
【０００８】
このように構成された本実施例の超音波プローブ装置では、図３に示すように、被検体８の上に容器３、４が接触するように載置され、超音波プローブ１を挿入孔２の中で上下すると、超音波プローブ１の上下による摩擦によりローラ６、７が回転軸６ａ、６ｂで回転し、ローラ６、７の表面のスポンジに浸透して塗布されているゼリー剤５がローラ６、７と超音波プローブ１の間を通って被検体８の表面に落下するので、超音波プローブ装置を図の左右に移動する事により、被検体８の表面及び超音波プローブ１の接触面１ａに適当な量だけ行き渡って塗布される。
【０００９】
本実施例は、このように、被検体８の表面や超音波プローブ１の接触面１ａに手で塗布することなく、簡単に超音波プローブ１の接触面１ａや被検体８の表面に塗布されるので、作業能率が非常に向上するという利点がある。
【産業上の利用可能性】
【００１０】
なお、上記実施例では、ローラ６、７の表面にスポンジ材を装着しているが、スポンジ材の代わりに、不織布や布材又はブラシ状の部材を装着しても良い。
【図面の簡単な説明】
【００１１】
【図１】本発明の実施例の超音波プローブ装置の正面図出ある。
【図２】図１の超音波プローブ装置の側面一部断面図である。
【図３】図２の超音波プローブ装置の動作を示した図であるる
【符号の説明】
【００１２】
１                超音波プローブ
２                挿入孔
３、４            容器
５                ゼリー剤
６、７            ローラ
８                被検体
【図１】
2007175081.tif 000003
【図２】
2007175081.tif 000004
【図３】
2007175081.tif 000005
(57)【要約】【課題】散歩中、ちょっと公園に繋いでおいたり、散歩のついでに買い物などをしたい場合に盗難防止がなされているリード，尚且つ簡単に支柱などに繋ぐことのできるペット用鍵付伸縮リードと対応首輪を提供する。【解決手段】盗難防止用に伸縮リードの先端に連結ベルトとダイヤル式鍵を取り付け、また伸縮リードのリード部は鋏でも切断不可能なステンレスワイヤーにしビニールコートを巻いて安全性を高め、伸縮リード本体の持ち手上部にもダイヤル式鍵を取り付け、支柱等にリードで巻いて持ち手部分のダイヤル式鍵に掛け簡単につなぐことができる。首輪は、ステンレスワイヤーを内包したベルトで片方にＤカンをつけ、反対側に長さ調整用のＤカンを通す穴を数箇所開け長さを調整し、その穴から出したＤカンともう一方のＤカンとをリードの先端につけた鍵付きフックに掛けダイヤル式鍵を掛ける事を特徴とするペット用伸縮リードと対応金具。【選択図】図１
2007175038.tif 000002
【特許請求の範囲】
【請求項１】
伸縮リード本体に持ち手の上部にダイヤル式鍵Ｂ又はキー付き鍵等を設け、伸縮リード本体のリード先端を連結ベルトのＤカンに接続し、他端をダイヤル式鍵Ａ又はキー付き鍵のＤカンに接続することを特徴とするペット用鍵付伸縮リードと対応首輪。
【請求項２】
伸縮リード本体のリード部分は鋏み等で切断不可能なステンレスワイヤーにして防犯性を高め、ビニールコートを設けて安全性を高めた請求項１記載のペット用鍵付伸縮リードと対応首輪。
【請求項３】
首輪の部分は、ステンレスワイヤーを内包したベルトの端にベルトを通すガイド帯を付け、そこから少し離れたベルトの中程に調整用Ｄカンを設け、反対側に調整用のＤカンを通す穴を数個設け、長さを調整し、その穴から出したＤカンと反対側のＤカンをリードの先端に設けたダイヤル式鍵Ａ又はキー付き鍵を掛ける請求項１〜２記載のペット用鍵付伸縮リードと対応首輪。
【請求項４】
買い物などで、２個の鍵を設けることで、ペットの盗難と安全、飼い主の安心とストレスの貯まらない請求項１〜３記載のペット用鍵付伸縮リードと対応首輪。
【発明の詳細な説明】
【技術分野】
【０００１】  本発明は、ペットの首輪と伸縮リードに複数の鍵を設けた盗難防止用の伸縮リードに関する。
【背景技術】
【０００２】  従来は、犬の首輪はいろいろの特徴を持った首輪があるが、散歩中、犬等のペットの首輪には殆ど鍵付きのものはなく、ちょっと公園で繋いでおいたり、散歩の途中に買い物をする際に盗難防止がなされておらず、非常に不便を感じるが、現時点ではあまり鍵付きは見当たらず、盗難防止の対策もなく心配である。
参考として次のような実用新案登録がある。例えば、実登３１０４０７３号公報がある。
【発明の開示】
【発明が解決しよとする課題】
【０００３】  それには次のような問題点があった。
（イ）鍵のついた首輪があまりない。
（ロ）散歩中に、犬などのペットを公園等に繋いで置きその場所を離れるのは心配である。
（ハ）散歩の途中で買い物をしたくても、お店の中に犬等は入れなく、店の外に鍵なしで置くのは盗まれる心配がある。
（ニ）盗難予防がなされた首輪は見当たらない。
（ホ）犬などペットは家族と同様に扱われており、盗難には相当神経を使って、ストレスの原因にもなり、飼い主の健康面から見ても、ストレスをためることは身体によくない。
本発明は、以上の問題点を解決するためのものである。
【課題を解決するための手段】
【０００４】  盗難防止用に伸縮リード（１）を設ける、その伸縮リード（１）の先端の一方に連結ベルト（２）を接続し、他方の先端にダイアル式の鍵又は鍵Ａ（３）を取付ける。伸縮リード（１）のリード部分は鋏等で切断不可能なステンレスワイヤー（４）等にして防犯性を高め、ビニールコート（５）をして安全性を高める。そして、伸縮リードの（１）の持ち手のリードリール部分にダイヤル式の鍵又は鍵Ｂ（６）設け、支柱等にリードで巻いて持ち手部分のダイヤル式鍵Ｂ（６）に掛け簡単に繋ぐことができる。首輪（７）の部分は、ステンレスワイヤー（８）を内包したベルトで構成し防犯性を高め、片方にＤカンＡ（９）を設け、反対側に長さ調整用のＤカンＢ（９）を通す穴を数個開け長さを調整する、その穴から出したＤカンＢ（１０）ともう一方のＤカンＡ（９）とをリードの先端につけたダイヤル式鍵Ａ（３）付きフックに掛け鍵をかける。そうすることにより首輪が抜けることもない。これにより公園に繋いでおいたり、買い物などをする時に安心して店の外の柵の支柱（１１）に繋いでおける。
【発明の効果】
【０００５】  ダイヤル式鍵２個を首輪と伸縮リードに設けることで二重の盗難防止の対策がなされ、飼い主が安心して犬等を公園の支柱などに繋いで置け、また買い物のときなども安心して店前の支柱に繋いでおけるため盗難の心配がない効果が期待できる。
【発明を実施するための最良の形態】
【０００６】  （イ）伸縮リード（１）を設け、リード部分を鋏等で切断不可能なステンレスワイヤー（４）にし、そのステンレスワイヤー（４）にビニールコート（５）をかぶせる。
（ロ）ステンレスワイヤー（４）の先端部に連結ベルト（２）の一方に接続し、他方にダイヤル式鍵又は鍵Ａ（３）を接続する。
（ハ）伸縮リード本体には持ち手上部にダイヤル式鍵又は鍵Ｂ（６）を設け、支柱をリードで巻いても持ち手部分の鍵にかけ簡単に繋ぐことができる。
（ニ）首輪（７）はベルトの中にステンレスワイヤー（８）を内包し、片方にＤカンＡ（９）を付け他方に長さ調整用のＤカンＢ（１０）を通す穴数個を開け、長さを調整しその穴から出したＤカン（１０）ともう一方のＤカン（９）とリードの先端に付けた鍵つきフックに掛け鍵をかける。
本発明は、以上の構成よりなっている。
【図面の簡単な説明】
【０００７】
【図１】本発明の実施した全体図
【図２】本発明の首輪の斜視図
【図３】本発明の首輪と伸縮リードの先端とダイヤル式鍵を繋いだ図
【符号の説明】
【０００８】１    伸縮リード
２    連結ベルト
３    ダイヤル式鍵又は鍵Ａ
４    ステンレスワイヤー
５    ビニールコート
６    ダイヤル式鍵又は鍵Ｂ
７    首輪
８    ステンレスワイヤー
９    ＤカンＡ
１０  ＤカンＢ
１１  柵のパイプ等
１２  ベルト通し
【図１】
2007175038.tif 000003
【図２】
2007175038.tif 000004
【手続補正書】
【提出日】平成18年3月27日(2006.3.27)
【手続補正２】
【補正対象書類名】図面
【補正対象項目名】図３
【補正方法】追加
【補正の内容】
【図３】
2007175038.tif 000005
(57)【要約】【課題】猫のストレスが溜まった時や爪とぎの時に、引っかくことでストレスを取り除き、爪を清潔にするための猫用爪とぎ支柱を提供する。【解決手段】支柱に土台を着脱自在とし、支柱が折りたたみ可能とし、支柱を上下に反転自在とし、支柱の内側に１リットルのペットボトルが入る空洞があることを特徴とする、猫用爪とぎ支柱。【選択図】図１
2007175042.tif 000002
【特許請求の範囲】
【請求項１】
支柱に土台を着脱自在とし、支柱が折りたたみ可能とし、支柱を上下に反転自在とし、支柱の内側に１リットルのペットボトルが入る空洞があることを特徴とする、猫用爪とぎ支柱。
【発明の詳細な説明】
【技術分野】
【０００１】  本発明は、猫のストレスが溜まった時や爪とぎの時に、引っかくことでストレスを取り除き、爪を清潔にする猫用爪とぎ支柱に関するものである。
【背景技術】  従来、方形状の板台に支柱を立てて、支柱に猫が爪を立て、爪をとぐものがある。例えば、特許文献１として、長方形の板台の表面で爪をとぐというものがある。特許文献２として、長方形の板台を立てて壁に固定し、その表面で爪をとぐというものがある。特許文献３として、長方形の板台二枚を壁と壁が交差する角にそれぞれ立てて固定し、その表面で爪をとぐというものがある。猫が爪をとぐとき、後ろ足で立ち、前足の爪を支柱に引っ掛けて上下させる。このとき全体重を支柱にかけるので、支柱が傾き、転倒し、十分に爪をとげなかった。また猫は、後ろ足立ちで爪をとぐほかに、四つんばいのままで前足を前後させて爪をとぐ。しかし従来の爪とぎはそのことに対応した板台を設けていないか、板台を設けていても、固定が十分でないために爪をとぐたびに板台が動き、十分にとぐことができなかった。そして後ろ足立ちでの爪とぎは、支柱上部で行われるので、支柱下部は使い切れていなかった。また、支柱は土台から離すことが出来なかった。
【特許文献１】  特許公開２００５−２１０９２２号公報
【特許文献２】  特許公開２００４−３２１０４４号公報
【特許文献１８】  登録実用新案第３０９７３９９号公報
【発明の開示】
【発明が解決しようとする課題】
【０００３】  それには次のような問題点があった。
（イ）爪とぎ支柱及び板台で猫が爪をとぐと、爪とぎ支柱が傾いたり、転倒したり、板台が動いたりするので、土台を床面に粘着テープで固定するか、小型の重しとして文庫本や辞書を置いたり、釘を打つしかなく、床や壁を傷つけ、見栄えが悪かった。
（ロ）支柱上部の爪とぎ部が消耗次第、捨てていたので不経済だった。
（ハ）市販の猫用爪とぎ板は全体が大きく、支柱の凹凸がかさばっているので購入後持ち帰るとき、非常に不便だった。
本発明は、以上の問題点を解決するためのものである。
【課題を解決するための手段】
【０００４】  支柱に土台を着脱自在とし、支柱が折りたたみ可能とし、支柱を上下に反転自在とし、支柱の内側に１リットルのペットボトルが入る空洞があることを特徴とする、猫用爪とぎ支柱。
【発明の効果】
【０００５】  支柱を上下に反転させる事によって、支柱の全表面を爪とぎとして利用することが出来る。爪とぎは、不必要な時は折りたたんで収納できる。支柱の内部に水を入れたペットボトルを入れ重しとし、支柱全体を安定させる事が出来る。
【発明を実施するための最良の形態】
【０００６】  以下、本発明の実施の形態を説明する。
（イ）、内部を中空にした直方体状の支柱（２）の各面と土台（１）の表面に布（３）を貼る。
（ロ）、直方体状の支柱（２）の各面の上辺に上側凸片（４）を設け、下辺に下側凸片（５）を設ける。
（ハ）、上側凸片（４）及び下側凸片（５）の表面に面ファスナー（６）を設ける。
（ニ）、方形状の平板からなる土台（１）に下側凸片（５）と面ファスナー（６）に対応して下側凸片（５）を差し込む貫通孔（８）と面ファスナー（６）を設ける。
（ホ）、支柱（２）の断面よりやや幅広の方形状からなる蓋（７）に、上側凸片（４）に対応して上側凸片（４）を差し込む貫通孔（９）を設ける。
本発明は以上の構成よりなる。
本発明を使用するときは、土台（１）の表面に設けた貫通孔（８）に支柱（２）の下側凸片（５）を差し込み、土台（１）裏側の面ファスナー（６）で固定し、支柱（２）を立てる。支柱（２）の内側の中空部に水を入れた１リットルのペットボトル（１０）を差し込んで入れ、本体の重石とし、支柱（２）の上面は蓋（７）で閉じる。
本発明の支柱（２）と土台（１）の表面は、猫が爪をとぐとき適材となるような麻生地又は起毛生地などの布を貼るか、あるいは支柱（２）と土台（１）の全面に荒縄を巻きつける。土台表面に布を貼るのは決して飾りではなく、猫は四つんばいの状態でも爪をとぐため、土台（１）にも布（３）を貼る必要がある。
猫は、支柱（２）又は土台（１）の表面で爪をとぎ、布（３）が傷んだときは、支柱（２）の上下を反転させて上側凸片（４）を土台（１）の貫通孔（８）に差し込んで面ファスナー（６）で固定し、再セットする。これにより、布（３）の全部の面を余すところなく使うことができる。
【図面の簡単な説明】
【０００７】
【図１】本発明の斜視図
【図２】本発明の分解の斜視図
【図３】本発明の断面図
【図４】本発明の使用状態を示す斜視図
【図５】本発明の底面図
【符号の説明】
【０００８】  １    土台
２    支柱
３    布
４    上側凸片
５    下側凸片
６    面ファスナー
７    蓋
８    貫通孔
９    貫通孔
１０  ペットボトル
【図１】
2007175042.tif 000003
【図２】
2007175042.tif 000004
【図３】
2007175042.tif 000005
【図４】
2007175042.tif 000006
【図５】
2007175042.tif 000007
(57)【要約】【課題】  本発明は寝具として使うための毛布である。通常は掛け布団と同じように体に掛けて使用するので寝返ったとき肩及び首まわりに敷き布団との間に隙間が生じてしまい冬期に寒い思いをして睡眠が妨げられていました。この隙間が生じることを防ぐ毛布を提供する。【解決手段】四方形の毛布の一辺に平行なひだを３列以上複数設ける。この複数のひだが崩れないようにひだの中央寄り一定の巾を固定し、この固定されたひだの両端部はフリーにしてひだが扇のように広がり両肩の上方向まで毛布が回り込むることが出来るように設ける。【選択図】図５
2007175461.tif 000002
【特許請求の範囲】
【請求項１】
四角形の毛布の１辺に、辺に並行な「ひだ」を端から３列以上複数持ち、この複数のひだが崩れないようにひだの列中央寄り一定の巾が互いに固定される毛布。
【請求項２】
複数の平行な「ひだ」の一定の巾を固定する手段として、固定するひだの巾の両端にバネホックをそれぞれのひだに取り付け互いのひだを固定することにより請求項１の３列以上複数のひだが固定される毛布。
【請求項３】
複数の平行な「ひだ」の一定の巾を固定する手段として、「ひだ」の列中央寄り部分の一定の巾を、糸で互いのひだを縫い込むみ、請求項１の３列以上複数のひだが固定される毛布。
【請求項４】
複数の平行な「ひだ」の一定の巾を固定する手段として、固定するひだの巾の両端に紐を取り付け、毛布に紐を通す穴を一定のピッチで開けそこに紐を通します。ひだを作るとき紐を引きひだを作り、紐がずれないようにホックで止める。ことにより請求項１の３列以上複数のひだが固定される毛布。
【発明の詳細な説明】
【技術分野】
【０００１】本発明は睡眠中、毛布と敷き布団との間から肩が出てしまうことを防ぐ毛布に関するものである。
【背景技術】
【０００２】寝ているときに掛布団、毛布から肩がよく出てしまい、冬の寒い時期には熟睡を妨げられていました。肩が出ることを防ぐため従来掛け布団や毛布とは別に首廻りが切り抜かれた掛け布団（首抜き布団）を用意し、布団及び毛布と併用して使っていました。
【発明の開示】
【発明が解決しようとする課題】
【０００３】首抜き布団と掛け布団及び毛布との併用は次のような問題点がありました。首抜き布団は上半身のみ掛かっているので寝返りを繰り返すと、ずれてしまい肩が出てしまうことが多かった。又冬季専用の布団として別に用意が必要であった。
本発明は以上の問題点を解決し、首抜き布団を用意することなく、毛布のみで寝返りを繰り返しても肩に隙間が生じにくいようになされたものである。
【課題を解決するための手段】
【０００４】上記の目的を達成するため、本発明は四角形の毛布の１辺に、辺に並行な「ひだ」を３列以上複数設けます。この複数のひだが崩れないようにひだ列の中央寄り一定の巾を互いにい固定し列の両端部はフリーな状態で設ける。一定の巾で固定されたひだの端部を中心にしてフリーなひだの端部を扇の様に広げられるように設ける。
ひだを固定する方法としてバネホックを毛布に一定のピッチで取り付ホックを閉めることによりひだが固定できるように設ける。
この複数のひだを固定する他の方法として、ひだの列の中央寄りの一定の長さの部分を糸で縫いあわせ、中央寄りのひだの部分の固定を設定する。
この複数のひだを固定する更なる方法として、毛布の端部に引き寄せ紐を取り付け毛布に一定のピッチで開けられた紐通し穴を設ける。この穴に紐を通し、紐を引き寄せひだを作り、紐がずれないようにをホックを設ける。
本発明は以上のそれぞれの手法で、複数のひだを固定させ肩、首廻りに隙間が生じることを防ぐ毛布である。
【発明の効果】
【０００５】本発明を使用するとき、固定されていないひだの端を扇の様に広げます。両肩の上方向まで毛布が回り込んだ状態になるので毛布の長さにゆとりがでます。そのため寝返っても毛布と敷き布団との間に隙間が生じないので肩が出ることが防げます。また固定されたひだは毛布が束ねられた状態でマフラーの役目をはたしますので首廻りにも隙間が空きにくくなります。このように毛布１枚での構成によるので別の首抜き布団を用意する必要がありません。
【発明の実施すための最良の形態】
【０００６】以下、本発明の実施の形態をを説明する。
（イ）フラットな毛布（１）にホック（５）一定のピッチで設ける。
（ロ）ホック（５）のオス、メスを締めてひだ（２）（３）を作り出す。
（ハ）ひだ（２）（３）を作る次の方法としてフラットな毛布（１）に紐通し穴（９）を一定のピッチで設ける。
（ニ）ホック（５）及び紐通し穴（９）を取り付ける場所に補強当て布（６）を設ける。
（ホ）ひだ（３）はホック（５）、縫い込み糸（７）及びひだ引き寄せ紐（８）で固定されて出来たひだの一部分である。
（ヘ）広げられたひだ（４）はひだ（２）の端部が開かれた状態である。
本発明は以上の構成よりなる。
本発明を使用する場合は、［図５］のひだ（４）のようにひだを広げた状態で使う。
【図面の簡単な説明】
【０００７】
【図１】本発明の斜視図
【図２】本発明の正面図
【図３】本発明の要部拡大の断面図
【図４】本発明の毛布を平らに伸ばした状態の正面図
【図５】本発明のひだを広げた状態の斜視図
【図６】本発明の縫い込み糸でひだが固定だれた要部拡大の断面図
【図７】本発明のひだ引き寄せ紐が取り付いたフラットの状態の正面図
【図８】本発明のひだ引き寄せ紐でひだを設けた状態の正面図
【図９】本発明のひだ引き寄せ紐でひだを固定した状態の要部拡大の断面図
【符号の説明】
【０００８】１  毛布
２  固定されていないひだ
３  固定されたひだ（マフラー）
４  固定されていないひだが広げられた状態
５  ばねホック
６  補強当て布
７  ひだ固定用の縫い込み糸
８  ひだ引き寄せ紐
９  紐通し穴
【図１】
2007175461.tif 000003
【図２】
2007175461.tif 000004
【図３】
2007175461.tif 000005
【図４】
2007175461.tif 000006
【図５】
2007175461.tif 000007
【図６】
2007175461.tif 000008
【図７】
2007175461.tif 000009
【図８】
2007175461.tif 000010
【図９】
2007175461.tif 000011
(57)【要約】【課題】本発明はドライヤーとヘアーブラシを使って、毛髪のセット、ブローを簡単にする為、クリップ付ヘアーブラシを提供する。【解決手段】ヘアーブラシの柄の部分のバネ付きのクリップを設け、このクリップに閉じた状態で固定できるにロック機能を設け、クリップとヘアーブラシによって、毛髪のブロッキング、毛髪の挟み込みが出来、テンションも自由にかけられる、以上を特徴とするクリップ付きヘアーブラシ。【選択図】図１
2007175470.tif 000002
【特許請求の範囲】
【請求項１】
ヘアーブラシの柄の部分にバネ付きのクリップを設け、このクリップに閉じた状態で固定できるロック機能を設け、セット、ブローを簡単にすることを特徴とするクリップ付きヘアーブラシ。
【発明の詳細な説明】
【技術分野】
【０００１】  本発明はドライヤーとヘアーブラシを使って、毛髪のセット、ブローを簡単にする為、クリップ付ヘアーブラシに関するものである。
【背景技術】
【０００２】（イ）従来、ヘアーブラシで毛髪をセット、ブローする時に理美容では、技術者はヘアーブラシの歯を櫛代わりにし、毛髪のブロッキングを行い、ヘアードライヤーの風を利用しヘアーブラシに絡ませ、行っていたり、一般の方はドライヤーを放して両手で行っていた。
〈ロ）ヘアーブラシとロールブラシを使い分けていた。
【発明の開示】
【発明が解決しようとする課題】
【０００３】  そのために、次のような問題点があった。
（イ）理美容においては、ドライヤーの風、ヘアーブラシの歯を利用して毛束を取る事が非常に技術を要する事なので、習得するのに時間を要した、また、一般の方もヘアーブラシを上手に使用する事が難しいので、疲れたり、時間を掛けて毛髪をセット、ブローを行っていた。
（ロ）ロールブラシとしては、短い毛髪は使用出来なかった。
（ハ）ブラシ歯が荒いと毛髪の喰い込みはよいが、滑り過ぎてしまう。
本発明は以上の問題点を解決しようとするものである。
【課題を解決するための手段】
【０００４】  ヘアーブラシの柄の部分のバネ付のクリップを設け、このクリップにロック機能を設けクリップとヘアーブラシによって、毛髪のブロッキング、毛髪の挟み込みが出来、テンションも自由にかけられる。以上を特徴とするクリップ付ヘアーブラシである。
【発明の効果】
【０００５】（イ）クリップ部で毛髪のブロッキングが容易に出来、そのままの状態でブラシ本体とクリップで毛束を挟みこめるので、その状態でドライヤーを使用できる。
〈ロ〉短い毛髪、ブラシの１回転以下の長さでも使用できる。
（ハ）ブラシ歯が荒くてもクリップで自由な力で挟みこむので必要なテンションがかけられる。また、ロック機能で毛髪を挟み込んだ状態で回転する事が容易になる。
（ニ）ヘアーブラシとロールブラシ兼用に使える。
【発明を実施するための最良の形態】
【０００６】  以下、本発明の実施の形態について説明する。
（イ）クリップ本体（１）にスライドスイッチ（２）を設ける。スライドスイッチ（２）は、図６で示される様に、ほとんど親指、人差し指によって移動されるので前後どちらからでも動かし易い様に、図３に示す様に、少し中央を高く、また、滑り止めの効果を出す為に表面に凹凸部（２ａ）を設ける。
（ロ）クリップ本体（１）に細長状でＵ字型のクリップバー（５）を装着する。この時、図２（ｃ）に示されるようにクリップ本体（１）を閉じた時にクリップバー（５）がブラシ本体に平行に、かつ、接触する様に装着する。細長状でＵ字型に作られているので、ブラシの歯（９）を跨いでブラシ本体（８）に接触するので２箇所、毛髪を挟む所が出来るのである。また、先が丸いので、毛髪をブロッキングする際、頭皮に対して安全である
（ハ）スライドスイッチ（２）に連動する様にＬ字状のロックバー（３）をスライドスイッチ（２）の底面に装着する。すなわち図３（ｃ）に示すようスライドスイッチをブラシ本体（５）側に移動させる事によって、ロックバー（３）がブラシ本体（８）の一端の上部に設けたロック穴（７）に入り込む為、ロック状態になるのでブラシの柄（６）だけ持ってブラシ本体（８）を操作できる。
（ニ）つまり、ロック穴（７）はブラシ本体（８）のロックバー（３）が入り込む位置に設けるのである。
（ホ）クリップ本体（１）に板バネ（４）を図６で表すようにブラシの柄（６）を握ってクリップ本体（１）が親指で操作し易い位置に板バネ（４）をブラシの柄（６）に取り付けネジ（１０）と取り付けネジ穴（１１）よって装着する。板バネ（４）はクリップバー（５）を上方から押すと下方に押し下げられ、力を加えると閉じる状態になる。その動作は、力を加えない状態は図２（ａ）で、力を加えた状態が図２（ｂ）である。したがって本発明はバネの働きをするものなら板バネ（４）でなくても構わない。【０００７】また、クリップバー（５）をゴム材等で蓋う事により、さらに滑り止め、ドライヤーによる加熱が遮られる。【０００８】クリップ付きヘアーブラシはクリップ全体図３と、ブラシ全体図４で構成されており取り付けネジ（１０）と取り付けネジ穴（１１）よって装着されている。よって、取り外し可能なので、それぞれが破損した場合でも交換が可能である、したがって、本発明はクリップ全体図３をブラシ全体図４に装着する際に、取り外し可能ならば付けネジ（１０）と取り付けネジ穴（１１）でなくても構わない。
本発明は、以上の構成よりなりたっている、
本発明を使用するときは、クリップバー（５）により毛束のスライスを取り、ブラシ本体（８）とクリップバー（５）により、スライスされた毛束を挟みこみ、必要なテンションとドライヤーの熱でセット、ブローを行い、また、でスライドスイッチ（２）によりロック状態に出来るので、毛束を挟んだ状態で回転させてロールブラシとしても容易に使用できる。
【図面の簡単な説明】
【０００９】
【図１】本発明の斜視図
【図２】本発明の要部断面図であり（ａ）、（ｂ）、（ｃ）の図はクリップバーの動作により板バネの動きを説明した図である
【図３】本発明のクリップ全体の斜視図
【図４】本発明のブラシ全体の斜視図
【図５】本発明の分解斜視図
【図６】本発明の使用状態を示す斜視図
【符号の説明】
【００１０】１    クリップ本体
２    スライドスイッチ
３    ロックバー
４    板バネ
５    クリップバー
６    ブラシの柄
７    ロック穴
８    ブラシ本体
９    ブラシ歯
１０  取り付けネジ
１１  取り付けネジ穴
【図１】
2007175470.tif 000003
【図２】
2007175470.tif 000004
【図３】
2007175470.tif 000005
【図４】
2007175470.tif 000006
【図５】
2007175470.tif 000007
【図６】
2007175470.tif 000008
(57)【要約】【課題】  従来のゴルフクラブは、握力強化、瞬発力と操作性の向上、スウイングスピードアップ、振動減衰性、握力の低下を軽減し持続力が得られる総合性に優れたものはなかった。【解決手段】  手のひらを握った状態と同じようにグリップストッパーを設けることにより、握り手とグリップストッパーが自然の状態で一体化し握力が強化されることにより瞬発力が生まれ、操作性の向上、スイングスピードをさらにアップし、振動減衰性、さらにグリップストッパーとグリップエンドがストッパーとなることにより総合性にすぐれたゴルフクラブを提供できる。【選択図】図１
2007175466.tif 000002
【特許請求の範囲】
【請求項１】
グリップに、ラッパ状のグリップエンドと手のひらに収まる外周に沿った湾曲した楕円状の凸のグリップストッパーを設けた。
【請求項２】
グリップエンドとグリップスットパーの間に、小指と小指のつけ根がフィットするように、外周に沿った湾曲した凹を設けた。
【発明の詳細な説明】
【技術分野】
【０００１】  本発明は、握力の強化と瞬発力、振動減衰性と操作性の向上、スイングスピードをアップしさらに、滑りを軽減するよう図ったゴルフクラブに関する。
【背景技術】
【０００２】  従来のグリップには、グリップの素材にて滑りを軽減するように対応したものがある。（たえば、特許文献１参照）。【０００３】  以下、図に示すようにグリップの表面に素材を覆ったものである。
【特許文献１】    特開平０５−３３４５６７号  広報
【発明の開示】
【発明が解決しようとする課題】
【０００４】    以上に述べた従来のグリップでは、握力の強化と瞬発力、振動減衰性と操作性の向上、スイングスピードをアップしさらに、滑りを軽減するような総合性に優れたものではなかった。【０００５】  本発明は、このような従来の構成が有していた問題を解決しようとするものであり、握力の強化と瞬発力、振動減衰性と操作性の向上、スイングスピードをアップしさらに、滑りを軽減するゴルフクラブを実現することを目的とするものである。
【課題を解決するための手段】
【０００６】  そして、本発明は上記目的を達成するために、グリップにラッパ状のグリップエンドを設け、グリップエンドのくびれより湾曲したラクビーボールのような楕円状の凸のグリップストッパーを設けた。【０００７】  上記の解決手段による作用は次の通りである。すなわち、グリップを握って力が入る強力な手のひらと指の状態は、小指からなる径が１番小さく次に人差し指からなる径であるから、強力な手のひらと指の状態と同じくグリップに外周に沿って湾曲した楕円状の凸のグリップストッパーを設けることにより、握り手とグリップストッパーが自然に握った状態で一体化し、操作性の向上、スイングスピードをさらにアップし、振動減衰性し、握力を強化し瞬発力を得る。さらに、楕円状の凸グリップストッパーの上を、人差し指で握り締めるので上がストッパーとなり、ストッパーの強化が得られる。【０００８】  また、グリップエンドをラッパ状にすることにより、グリップエンドとグリップスットパーの間にくびれの凹を設けることにより、小指と小指のつけ根が凹に食い込むように自然の状態の握りでさらに、小指と小指のつけ根がラッパ状のグリップエンドにフィットし、滑りがなくなりストッパーの強化が得られる。
【発明の効果】
【０００９】  上述したように本発明のグリップは、握り手とグリップストッパーが自然の状態で一体化し操作性の向上し、握力強化になりスイングスピードをさらにアップし、振動減衰性が向上しさらに、グリップストッパーとグリップエンドがストッパーとなる、優れたゴルフクラブを提供できる。【００１０】  また、上記のグリップの、グリップストッパー、グリップエンドの位置、数、素材、形態、大きさ、などにはこだわっていない。たとえば、子供と大人の手の大きさに違いがあるように、使用者に合ったより良い位置、数、素材、形態、大きさが必要である。
【発明を実施するための最良の形態】
【００１１】  以下、本発明の実施の形態を図１〜図３に基づいて説明する。【００１２】  図においては、ゴルフクラブの１はグリップで、２はラッパ状のグリップエンドである。グリップに、楕円の凸の３グリップストッパーを設け、４はグリップストッパー下で、５はグリップストッパー上である。【００１３】  以下、上記構成を説明する。ゴルフクラブの１はグリップで、２はグリップエンドで、それより連なる外周に沿って湾曲した楕円の凸の３グリップストッパーを設け、４はグリップストッパー下で、５はグリップストッパー上である。４グリップストッパー下部分を小指に当て握り、手のひらで４グリップストッパーを包み、５グリップストッパー上を人差し指と親指で握り締めることにより自然の形の状態で一体化し、握力が強化し振動減衰性が強化され、瞬発力を得ることにより操作性の向上、スイングスピードがアップし、２グリップエンドを設けることによりラッパ状部分がストッパーとなりさらに、５グリップストッパー上を人差し指と親指で握り締めることによりストッパーとなり、総合性にすぐれたゴルフクラブを提供できる。
【図面の簡単な説明】
【００１４】
【図１】  本発明の実施形態を示すゴルフクラブを横から見た外観図
【図２】  同グリップを横から見た外観図
【図３】  同グリップエンドから斜め横から見た外観図
【符号の説明】
【００１５】１  グリップ
２  グリップエンド
３  グリップストッパー
４  グリップストッパー下
５  グリップストッパー上
【図１】
2007175466.tif 000003
【図２】
2007175466.tif 000004
【図３】
2007175466.tif 000005
(57)【要約】      （修正有）【課題】要介護者の歩行訓練を毎日の生活の中に取り入れて、生活ベースでこれを行う事が出来るよう、多くの使用条件に合わせる事ができる、汎用性のある、安価で使い勝手の良い介護用歩行車の提供。【解決手段】後輪１、手押しハンドル２，本体ベース３、踏みあげペタル４、台座５、着脱セット装置７、ブレーキ９で後輪本体部６を構成し、前輪走行部８を着脱セット装置７で取り付ける事により完成する前輪走行部着脱式歩行車。【選択図】図１
2007175468.tif 000002
【特許請求の範囲】
【請求項１】
歩行車を、前輪走行部と、後輪本体部に分割して製作する。
そうして、介助目的に合わせた機能（段越え装置、踏み切り線路溝越え装置、歩行速度調節装置等）が付いた前輪走行部機構を、後輪本体部へ取り付け、取り外しが出来るよう考案された、前輪走行部着脱式介護用歩行車。
【発明の詳細な説明】
｛発明の詳細な説明｝
【０００１】｛産業上の利用分野｝
本案は、介護の分野において、要介護者の自立を助け歩行能力を回復させるリハビリ用の用具として、予防介護を、より安全に又確実に行う為考案したものである。
【０００２】｛従来の技術｝
現在市場にある介護用歩行車は、買物用は、買物専用として、歩行訓練用は、訓練用として使用場所及び使用目的が固定され、使用上の不便さと兼用出来ない為の無駄があった
【発明が解決しようとする課題】
【０００３】本案は、現在市場にある歩行車のような、使用場所、使用目的を限定して利用する単一能力車としての歩行車から、一部の機構（前輪走行部）の交換取り付けを可能にする事により多目的に使用出きる、万能能力を有する歩行車となり、介護の分野に大きく貢献する介護用具となる。
【０００４】｛課題解決の手段｝
本案の構成を説明すると
後輪▲１▼  手押しハンドル▲２▼  本体ベース▲３▼  踏み上げペタル▲４▼  台座▲５▼  着脱セット装置▲７▼
によって構成された、後輪本体部▲６▼へ、介助目的に合った機能を有する前輪走行部（例  歩行速度調節装置）▲８▼を着脱セット装置▲７▼で接続する事により、介助の用途にあった、多目的な万能歩行車となる。
【発明の効果】
【０００５】介護の用途に合わせた機能を持った、前輪走行部の交換だけで、多目的な万能歩行車となり、歩行訓練の分野で幅広く利用出来る歩行車となる。
【図面の簡単な説明】
【図１】    側面図
【図２】    正面図
【図３】    前輪走行部図（一例）
【図１】
2007175468.tif 000003
【図２】
2007175468.tif 000004
【図３】
2007175468.tif 000005
(57)【要約】【課題】点滴を速やかに再開するため、点滴セットの途中にバッグを設置したチャンバー再充填バッグ付き点滴セットを提供する。【解決手段】点滴セットの途中にバッグを設置し、輸液バッグ（３）とチャンバー（２）が空になってチューブ（４）に空気が侵入した際、バッグ（１）にあらかじめためておいた液を逆流させることでチューブ（４）とチャンバー（２）を再び液で満たすようにしたチャンバー再充填バッグ付き点滴セットを特徴とする。【選択図】図１
2007175463.tif 000002
【特許請求の範囲】
【請求項１】
点滴セットに液をためることができるバッグ（１）を取り付けたチャンバー再充填バッグ付き点滴セット
【発明の詳細な説明】
【発明の詳細な説明】
【技術分野】
【０００１】  この発明は、点滴セットの途中にバッグを取り付けたチャンバー再充填バッグ付き点滴セットに関するものである。
【背景技術】
【０００２】  従来の点滴セットは液をためるためのバッグがなかった。
【発明が解決しようとする課題】
【０００３】  これは、次のような欠点があった。輸液バッグが空になると、続いてチャンバーも空になり、チューブに空気が侵入する。その時点で、輸液バッグを新しいものと取り替えて点滴を再開する際、チューブに侵入した空気を取り除くのが困難であった。
本発明は、以上のような欠点をなくすためになされたものである。
【課題を解決するための手段】
【０００４】  点滴セットのチャンバー（２）と三方活栓（５）の間に液をためることができるバッグ（１）を取り付ける。
本発明は、以上の構成よりなるチャンバー再充填バッグ付き点滴セットである。
【発明を実施するための最良の形態】
【０００５】  以下、本発明の実施の形態について説明する。
点滴セットのチャンバー（２）と三方活栓（５）の間に液をためることができるバッグ（１）を設置する。
本発明は、以上のような構造で、これを使用するときは、三方活栓（５）を閉じ、バッグ（１）を押しつぶして中にためておいた液をチャンバー（２）の方向へ逆流させればいい。
【発明の効果】
【０００６】  輸液バッグ（３）が空になって、続いてチャンバー（２）も空になり、チューブ（４）に空気が侵入した場合に、バッグ（１）を押しつぶすことによりチューブ（４）に侵入した空気を除き、チャンバー（２）を再び液で満たすことができる。この操作を行えば、空になった輸液バッグを新しいものと交換するだけで輸液を再開できる。
【図面の簡単な説明】
【図１】本発明の正面図である。
【図２】チューブ内に空気が侵入した図である。
【符号の説明】
１  バッグ
２  チャンバー
３  輸液バッグ
４  チューブ
５  三方活栓
６  液面
７  水滴
【図１】
2007175463.tif 000003
【図２】
2007175463.tif 000004
(57)【要約】      （修正有）【課題】使用時に、耳の穴や股間の細部と全体及び足指の指間や足の裏表などを同時に速やかに、又スポーツ中やスポーツ後の額、顔、首部一帯の汗を容易に速やかに清浄できるタオルを提供する。【解決手段】タオル１の両面又は片面の隅部２に、指で挟んで使用するための、糸状又は細帯状の仕切り４を施したポケット状清浄部３を形成した。【選択図】図６
2007175460.tif 000002
【特許請求の範囲】
【請求項１】
隅部にポケット部を形成し仕切りを施したポケット状清浄部付きタオル。
【請求項２】
隅部と隅部の間の縁を曲線状にして隅部を三角錐に形成した請求項第１項のポケット状清浄部付きタオル。
【請求項３】
隅部のポケット状清浄部を巨大化した請求項第１項のポケット状清浄部付きタオル。
【請求項４】
隅部の先端部に竹の子状の突起を形成した請求項第１項のポケット状清浄部付きタオル
【発明の詳細な説明】
［発明の詳細な説明］
【０００１】［産業上の利用分野］
本発明は室外での使用であれ、室内での使用であれ、洗面所の洗顔時であれ、浴場での清浄であれ、耳の穴や股間、足指の指間などを速やかに清浄できるタオルである。
【０００２】［従来の技術］
従来のタオルは室外では海や川やプールでの水を拭き取ったり、室内では洗面所や浴場での水やアカなどを拭いたり、こすりとったりするものに用を足しているが耳の穴を清浄したり股間や足指の指間などの細部を清浄するには速やかに清浄することは出来ない。
【発明が解決しようとする課題】
【０００３】  本発明は従来のタオルよりも使用時には耳の穴や股間や足指の指間などの細部を速やかに清浄出来る事を解決の課題とするものである。
【課題を解決するための手段】
【０００４】  室外での使用であれ、室内での使用であれ、洗面所の洗顔時においても、浴場の入浴時においても、タオル（１）全体を折り曲げたり、小さく丸めたりする事なく耳の穴や股間、足指の指間の清浄にタオル（１）の両面又は片面の隅部にポケット状清浄部（３）を形成して使用する事に解決の手段とするものである。
【０００５】［作用］
タオル（１）の隅部（２）を三角錐状（７）に先細くして、ポケット状清浄部（３）を施し、更にポケット状清浄部（３）とタオル（１）本体とを糸状や細帯状のもので縫い合わせたり結合したりして、仕切り（４）を施しているので、仕切り（４）を指ではさんで使用すると、指は横辷りすることなく三角錐状（７）の先端は容易に耳の穴や股間や足指の指間などのアカや水滴などを速やかに清浄する事が出来る。ポケット状である為に指を必要に応じて１本から数本まで挿入すれば横辷りすることなく自在に速やかに清浄する事が出来る。
【実施例】
【０００６】タオル（１）の四隅を三角錐状（７）の先細りに形成した上に仕切り（４）を形成し、ポケット状清浄部（３）を施した為にそこに必要に応じて指をさし込んで耳の穴や股間や足指の指間などを清浄すれば良い。タオル（１）によってはポケット状清浄部（３）をタオルの四隅の両面に形成しても良い。又タオル（１）の曲線状の縁はタオル（１）の隅の三角錐状（７）の隅部（２）を流麗に製造表現する為である。
【発明の効果】
【０００７】  本発明は以上のような構成をしている為に、タオル（１）の四隅に三角錐状（７）のポケット状清浄部（３）には指を挿入すれば使用中でも指が仕切り（４）をはさみこんでタオル（１）がずり落ちる心配もなく、従来のようにタオルをにぎりしめる必要もなく洗面所や浴場だけでなく海水浴場や淡水浴場やプールなどでも簡便に使用する事が出来る。又、ポケット状清浄部（３）は本体のタオル地で形成すれば指をさし込んで使用する場合、指の周囲、両面のタオル地で耳の穴、股間、足指の指間を更に速やかに清浄する事が出来る。又［図６］のようにポケット状清浄部（３）を巨大にすれば、掌全体を挿入して、細部だけでなく股間全体を、足指の指間だけでなく足の表裏全体をも同時に清浄する事が出来る。又二つ折りにして両端のポケット状清浄部（３）に両手の指をさし入れて背中などを清浄すると仕切り（４）を指ではさむだけで両手指が横辷り落ちたりする事がないので従来のように力を込めて握る必要もなく、又スポーツ中やスポーツ後の額の汗や顔の汗、首周りの汗などもタオル（１）のポケット状清浄部（３）に手指を差し入れ仕切り（４）を指ではさんだまま使用すると、容易に速やかに清浄する事が出来る。
【図面の簡単な説明】
【図１】隅部（２）にポケット部を形成し、仕切り（４）を施した清浄部付きタオル（１）の正面図。
【図２】隅部（２）の先端部に竹の子状の三角錐状の突起を形成したポケット状清浄部（３）付きタオル（１）の正面図。
【図３】隅部（２）に手指の差し込み口をＶ字状にしたポケット状清浄部（３）を形成し仕切り（４）を施した清浄部付きタオル（１）の正面図。
【図４】隅部（２）のポケット状清浄部（３）の先端を指がのぞくように切除したポケット状清浄部（３）付きタオル（１）の正面図。
【図５】隅部（２）のポケット部を２枚の蝶の羽根状に形成したポケット状清浄部（３）付きタオル（１）の正面図。
【図６】隅部（２）のポケット部を巨大化したポケット状清浄部（３）付きタオル（１）の正面図。
【符号の説明】
１  タオル
２  隅部
３  ポケット状清浄部
４  仕切り
５  縁部
６  曲線状縁部
７  三角錐状
【図１】
2007175460.tif 000003
【図２】
2007175460.tif 000004
【図３】
2007175460.tif 000005
【図４】
2007175460.tif 000006
【図５】
2007175460.tif 000007
【図６】
2007175460.tif 000008
(57)【要約】      （修正有）【課題】従来の歯科矯正装置が不潔域を作ることから口腔内の衛生環境、特に歯牙に対して二次ウ蝕の発生しやすい環境となっていた問題を解決した歯科治療用口腔内装着装置を提供する。【解決手段】歯科矯正装置、特にマウスピースを例にとるならば、歯面に接するマウスピースの内面にフッ素徐放性材料を配置して、本来のマウスピースの機能に加え、歯質の強化やウ蝕予防の機能を備える構成とした。【選択図】図１
2007175458.tif 000002
【特許請求の範囲】
【請求項１】
フッ素徐放性材料からなり歯の耐酸性の工場と、歯の矯正機能を有することを特徴とするポリウレタンエラストマー製のフッ素徐放性マウスピース。
【請求項２】
硬質ポリウレタンゴムからなるマウスピースの内面に取り替え可能なフッ素徐放性ゴムシートを有することを特徴とするフッ素徐放性マウスピース。
【請求項３】
熱可塑性ポリウレタンエラストマー（ジ・イソシアネート／ポリオール）に０〜５ｗｔ％のフッ化物（ＮａＦ，ＳｎＦ２，Ｎａ２ＳｉＦ６，ＮＨ４Ｆ，Ｍ１（ＢＦ４）など）を添加したフッ素徐放性ゴムシートを内面に、外側に同系の軟質ポリウレタンエラストマーを使用することを特徴とするフッ素徐放性マウスピース。
【請求項４】
フッ素徐放性材料からなることを特徴とするフッ素徐放性歯間離開用ゴムリング。
【請求項５】
熱可塑性ポリウレタンエラストマーにＮａＦ，ＳｎＦ２，ＴｉＦ４，Ｎａ２ＳｉＦ６，ＮＨ４Ｆ，Ｍ１（ＢＦ４）のフッ化物を含有することを特徴とするフッ素徐放性歯間離開用ゴムリング。
【請求項６】
フッ素徐放性材料からなることを特徴とするフッ素徐放性結紮用ゴムバンド。
【請求項７】
歯科矯正用結紮用ゴムバンドの材質が熱可塑性ポリウレタンエラストマーで、ＮａＦ，ＳｎＦ２，ＴｉＦ４，Ｎａ２ＳｉＦ６，ＮＨ４Ｆ，Ｍ１（ＢＦ４）のフッ化物を含有することを特徴とするフッ素徐放性結紮用ゴムバンド。
【請求項８】
熱可塑性ポリウレタンエラストマーにフッ化物を添加し、加熱成形によって自由な形状に成形が可能なことを特徴とするフッ素徐放性ゴムシート。
【発明の詳細な説明】
【技術分野】
【０００１】  本発明は、歯科治療用口腔内装着装置が、本来の機能を損なうことなく、しかもウ蝕予防効果を高める機能を備えたフッ素除法性歯科用材料に関する。
【背景技術】
【０００２】  従来から、歯科治療用口腔内装着装置、例えば歯科矯正治療装置等の矯正治療用マウスピース、矯正治療用ゴム、歯間離開用ゴムリング、及び各種結紮用ゴムバンドは、矯正治療などで使われていた。
しかしその多くはただ単に歯を動かすことが主目的であり、装置を長期間装着して歯を動かす間に口腔内の状態が不潔となり、二次カリエスの発生の可能性が高いという欠点があった。【０００３】  さらに、従来の技術では、口腔内の衛生環境が悪化しないようにブラッシングを行なっても、歯科矯正装置によって口腔内が不潔になりがちであり、特に矯正治療の対象となる患者は成長期にある者が多くウ蝕歯が増えることは好ましくなかった。【０００４】  本発明は、このようなう蝕の発生のしにくい環境を作るとともに、矯正治療を円滑に行なえることを目的としている。
【発明の開示】
【発明が解決しようとする課題】
【０００５】  第一の課題として、口腔内装着用マウスピース装着時に歯牙と口腔内装着用マウスピースとの間に、唾液が混在し停滞することにより、細菌等が増殖し、二次カリエスの原因となっていた。【０００６】  第二の課題として、歯科矯正治療において、歯牙と歯牙との間に歯間離開用ゴムリングを入れて歯牙離開中に、歯間離開用ゴムの周囲が不潔になり二次カリエスの発生の原因となっていた。【０００７】  第三の課題として、歯科矯正用結紮用ゴムバンドの周囲が二次ウ蝕発生環境になっていた。
【課題を解決するための手段】
【０００８】  第一の課題を解決するために、歯科用マウスピースの歯面と接する内面にフッ素徐放性材料を配置した。【０００９】  第二の課題を解決するために、歯間離開用ゴムリングにフッ素徐放性材料を配置した。【００１０】  第三の課題を解決するために、歯科矯正用結紮用ゴムバンドにフッ素徐放性材料を配置した。
【発明の効果】
【００１１】  以下、本発明の実施の形態を図に基づいて説明する。【００１２】  図１は、図３のａ断面である。フッ素徐放性マウスピース１は歯冠４及び歯肉５の一部に接する内面にはフッ素徐放性ゴム３と、外表面が軟質エラストマーの二艚構造となっている。フッ素徐放性マウスピース１装着時、フッ素徐放性ゴム３よりフッ素が徐々に溶出する構成となっている。【００１３】  図２は、図３のｂ断面である。【００１４】  図３は、フッ素徐放性マウスピース２０を上方より見た図である。【００１５】  図４は、図３のａ断面である。フッ素徐放性マウスピース３１は、フッ素徐放性材料からなり、歯冠３２と歯肉の一部を被覆している。【００１６】  図５は、フッ素徐放性材料からなるフッ素徐放性歯間離開用ゴムリングである。【００１７】  図６は、フッ素徐放性結紮用ゴムバンドである。
【図面の簡単な説明】
【００２２】
【図１】本発明の実施形態を示す歯科用マウスピースの断面図
【図２】フッ素徐放性マウスピースの断面図
【図３】フッ素徐放性マウスピースの断面図
【図４】フッ素徐放性マウスピースの断面図
【図５】フッ素徐放性歯間離開用ゴムリング
【図６】フッ素徐放性結紮用ゴムバンド
【符号の説明】
【００２３】  １  フッ素徐放性マウスピース    ２０  フッ素徐放性マウスピース
２  硬質エラストマー                  ａ．断面線
３  フッ素徐放性ゴム                  ｂ．断面線
４  歯冠                        ３０  フッ素徐放性材料
５  歯肉                        ３１  フッ素徐放性マウスピース
３２  歯冠
１０  フッ素徐放性マウスピース    ３３  歯肉
１１  硬質エラストマー            ４０  フッ素徐放性歯間離開用ゴムリング
１２  フッ素徐放性ゴム            ４１  歯冠
１３  歯冠                        ４２  フッ素徐放性歯間離開用ゴムリング
１４  歯肉                        ４３  歯冠
５０  フッ素徐放性結紮用ゴムバンド
５１  空間
【図１】
2007175458.tif 000003
【図２】
2007175458.tif 000004
【図３】
2007175458.tif 000005
【図４】
2007175458.tif 000006
【図５】
2007175458.tif 000007
【図６】
2007175458.tif 000008